(57)【要約】【課題】  居住者が就寝しているような夜間などの時間帯に、居住者が異常行動を起こしたり、不審者が部屋内に侵入したりすることを報知することを目的とする。【解決手段】  部屋内に居住者が在室していると在不在判定部２ａにて判断し、かつ、その現在時刻が居住者の就寝時間帯であると異常判定部２ｂにて判断した場合に、部屋内の居住者が生活活動していることを検知する生活センサー４の所定時間あたりの検知回数が所定回数以上であると異常判定部２ｂにて判断したときに、部屋内に異常が発生したことを報知部１１により報知するようにしているので、本来であれば居住者が就寝しており生活センサー４が居住者の生活活動を検知しないような時間帯に生活センサー４が頻繁に検知動作を行うと、部屋内に異常が発生していることが報知される。【選択図】        図１
2008165361.tif 000002
【特許請求の範囲】
【請求項１】
現在時刻を示す現在時刻情報を出力する時計部と、
部屋内の居住者が生活活動していることを検知する生活センサーと、
前記生活センサーが前記居住者の生活活動を検知した回数をカウントするカウント部と、
前記部屋内に居住者が居るか居ないかを検出する在不在検出部と、
前記在不在検出部が前記部屋内に居住者が居ることを検出した場合に、前記時計部より前記現在時刻情報を取得し、前記現在時刻情報により特定される時間が前記居住者の就寝時間帯であると判断したときに、前記生活センサーが前記居住者の生活活動を検知する所定時間あたりの回数が所定回数以上になると、前記部屋内に異常が発生したと判断して異常信号を出力する制御部とを備えた住宅監視装置と、
前記住宅監視装置から前記異常信号を入力すると前記部屋内に異常が発生したことを報知する報知部を備えた管理装置と、
を備えた住宅監視システム。
【請求項２】
前記住宅監視装置は、前記在不在検出部が前記部屋内に居住者が居ることを検出した場合に計時を開始し、前記生活センサーが前記生活活動を検知すると前記計時をリセットするタイマー部を備え、
前記タイマー部により計時される時間が一定の時間以上となった場合に、前記制御部は、前記部屋内の居住者に異常が発生したと判断して異常信号を出力することを特徴とする請求項１に記載の住宅監視システム。
【発明の詳細な説明】
【技術分野】
【０００１】
本発明は、高齢者などが居住する住宅を監視する住宅監視システムに関する。
【背景技術】
【０００２】
従来、核家族化などの進行により、高齢者のみが居住する住宅が増えている。また、このような高齢者が居住する部屋を集めて、管理人室などにより管理する集合住宅が知られている。
【０００３】
このような集合住宅において、赤外線センサーなどにより部屋内の居住者の動きを検知し、赤外線センサーによる検知ができない時間が所定時間以上になった場合に、居住者に異常があったと判断して警報を発する集合住宅監視装置が知られている（例えば、特許文献１など）。
【特許文献１】特開昭６１−２７９２２１号公報
【０００４】
しかしながら、この特許文献１に記載の技術では、赤外線センサーによる検知ができない時間が所定時間以上になった場合に警報を発しているので、居住者が就寝しているような夜間などの時間帯に赤外線センサーが居住者の動きを頻繁に検知しても正常であると判断していまい、夜間に居住者が異常行動を起こしたり、夜間に不審者が部屋内に侵入したりした場合でも警報を発しないという問題点があった。
【発明の開示】
【発明が解決しようとする課題】
【０００５】
本発明は、このような問題を解決するために成されたものであり、居住者が就寝しているような夜間などの時間帯に、居住者が異常行動を起こしたり、不審者が部屋内に侵入したりすることを報知することを目的とする。
【課題を解決するための手段】
【０００６】
上述した課題を解決するために、本発明では、部屋内に居住者が居て、かつ、現在時刻が居住者の就寝時間帯である場合に、部屋内の居住者が生活活動していることを検知する生活センサーの所定時間あたりの検知回数が所定回数以上であるときに、部屋内に異常が発生したとして報知するようにしている。
【発明の効果】
【０００７】
上記のように構成した本発明によれば、本来であれば居住者が就寝しており生活センサーが居住者の生活活動を検知しないような時間帯に生活センサーが頻繁に検知動作を行うと、部屋内に異常が発生していることが報知されるので、夜間などの時間帯に居住者が異常行動を起こしたり、不審者が部屋内に侵入したりすることを報知することができる。これにより、管理人などは、部屋内の居住者を適切に監視することができる。
【発明を実施するための最良の形態】
【０００８】
以下、本発明の一実施形態を図面に基づいて説明する。図１は、本実施形態による住宅監視システムの構成例を示すブロック図である。図１に示すように、本実施形態による住宅監視システムは、住宅に設けられる住宅監視装置１、管理人室などに設けられる管理装置１０とを備えて構成されている。ここで、複数の住宅が存在する集合住宅では、本実施形態による住宅監視システムは、住宅監視装置１を各住宅にそれぞれ設けるようにしている。
【０００９】
また、住宅監視装置１は、制御部２、在不在検出部３、生活センサー４、カウンタ部５、時計部６を備えて構成されている。また、制御部２は、在不在判定部２ａ、異常判定部２ｂを備えて構成されている。また、管理装置１０は、報知部１１を備えて構成されている。
【００１０】
制御部２は、住宅監視装置１の各構成要素を後述するように制御する。在不在検出部３は、部屋内に居住者が居るか居ないかを検出する。ここで、在不在検出部３は、居住者が外出する際に部屋の外部からの玄関ドアの施錠を検出して不在信号を出力したり、居住者が外出する際に玄関ドアを施錠した鍵を置いておくためのキーホルダー内に鍵が存在することを検出して不在信号を出力したり、居住者が外出する際に操作する不在スイッチにより不在信号を出力したりする。なお、部屋の外部からの施錠は、部屋の内部からの施錠とは区別される。
【００１１】
生活センサー４は、部屋内の居住者が生活活動をしていることを検知するものであり、例えば、部屋内の人体の動きを検出するパッシブセンサーなどにより構成される。
【００１２】
カウンタ部５は、生活センサー４が部屋内の居住者の生活活動を検知する回数をカウントする。ここで、カウンタ部５は、制御部２からのリセット信号により居住者の生活活動の検知回数を１回にリセットする。時計部６は、現在時刻を示す現在時刻情報を出力するものであり、制御部２から現在時刻情報の取得の要求を受けて、現在時刻情報を出力する。
【００１３】
制御部２の在不在判定部２ａは、部屋内の居住者が在室しているか否かを判定する。また、制御部２の異常判定部２ｂは、部屋内に異常が起こっている（居住者が異常行動を起こしていたり、部屋内に不審者が侵入したりする）ことを判定する。
【００１４】
このように構成された住宅監視装置１は、在不在検出部３による検出結果によって在不在判定部２ａにて部屋内に居住者が居ると判断されると、異常判定部２ｂは、時計部６から現在時刻情報を取得する。異常判定部２ｂは、時計部６から取得した現在時刻情報が居住者の就寝しているべき就寝時間帯であるか否かを判定する。ここで、就寝時間帯としては、一般的には、午前０時〜午前５時の時間帯が該当する。なお、就寝時間帯には個人差があるので、居住者毎に設定できるようにしても良い。
【００１５】
時計部６から取得した現在時刻情報が就寝時間帯であると異常判定部２ｂにて判断した場合には、異常判定部２ｂは、夜間監視モードに移行する。夜間監視モードでは、異常判定部２ｂは、生活センサー４により部屋内の居住者の生活活動が検知された回数をカウンタ部５より取得する。
【００１６】
ここで、部屋内の居住者の生活活動が検知された回数は、所定時間内でカウントされる。例えば、異常判定部２ｂは、生活センサー４により部屋内の居住者の生活活動が最初に検知された現在時刻から３０分間の回数をカウンタ部５より取得する。また、生活センサー４により部屋内の居住者の生活活動が最初に検知されてから次の検知までの時間がある程度離れている場合には（例えば、１回目の検知から２回目の検知まで１０分間経過したような場合には）、異常判定部２ｂは、カウンタ部５にリセット信号を出力するとともに、所定時間の計測もリセットする。リセット信号を入力したカウンタ部５では、検知回数を１回にリセットする。
【００１７】
そして、異常判定部２ｂは、カウンタ部５から取得した検知回数が所定回数（例えば、１０回など）を超えたか否かを判定する。カウンタ部５から取得した検知回数が所定回数を超えたと異常判定部２ｂにて判断した場合には、制御部２は、部屋内に異常が発生したと判断して異常信号を管理装置１０に出力する。
【００１８】
管理装置１０報知部１１は、住宅監視装置１から異常信号を入力すると、該当する部屋内に異常が発生したことを報知する。ここで、報知部１１は、表示ディスプレイや警告灯などの視覚に訴える装置や、警報などの聴覚に訴える装置により構成される。
【００１９】
次に、本実施形態による住宅監視システムの動作及び住宅監視方法を説明する。図２は、本実施形態による住宅監視システムの動作及び住宅監視方法を示すフローチャートである。まず、住宅監視装置１では、居住者が不在か否かを在不在判定部２ｂにより調べる（ステップＳ１）。居住者が不在であると在不在判定部２ｂにより判断した場合には（ステップＳ１にてＹＥＳ）、ステップＳ１の処理に戻る。
【００２０】
一方、居住者が在室であると在不在判定部２ａにより判断した場合には（ステップＳ１にてＮＯ）、異常判定部２ｂは、時計部６から現在時刻情報を取得する（ステップＳ２）。そして、異常判定部２ｂは、取得した現在時刻情報が就寝時間帯を示すものであるか否かを調べる（ステップＳ３）。取得した現在時刻情報が就寝時間帯を示すものではないと異常判定部２ｂにて判断した場合には（ステップＳ３にてＮＯ）、ステップＳ１の処理に戻る。
【００２１】
一方、取得した現在時刻情報が就寝時間帯を示すものであると異常判定部２ｂにて判断した場合には（ステップＳ３にてＹＥＳ）、生活センサー４が部屋内の居住者の生活活動を検知したか否かを調べる（ステップＳ４）。生活センサー４が部屋内の居住者の生活活動を検知していないと異常判定部２ｂにて判断した場合には（ステップＳ４にてＮＯ）、ステップＳ１の処理に戻る。
【００２２】
一方、生活センサー４が部屋内の居住者の生活活動を検知したと異常判定部２ｂにて判断した場合には（ステップＳ４にてＹＥＳ）、カウンタ部５により生活センサー４の検知回数をカウントする（ステップＳ５）。そして、異常判定部２ｂは、カウンタ部５によりカウントされた検知回数が、所定時間内にて所定回数以上であるか否かを調べる（ステップＳ６）。検知回数が所定回数未満であると異常判定部２ｂにて判断した場合には（ステップＳ５にてＮＯ）、ステップＳ１の処理に戻る。
【００２３】
一方、検知回数が所定回数以上であると異常判定部２ｂにて判断した場合には（ステップＳ５にてＹＥＳ）、制御部２は、部屋内に異常が発生したと判断して異常信号を出力する（ステップＳ７）。また、管理装置１０は、異常信号を入力したか否かを報知部１１により調べる（ステップＳ８）。異常信号を入力していないと報知部１１にて判断した場合には（ステップＳ８にてＮＯ）、ステップＳ８の処理を繰り返す。一方、異常信号を入力したと報知部１１にて判断した場合には（ステップＳ８にてＹＥＳ）、報知部１１は、異常の発生を報知する（ステップＳ９）。
【００２４】
以上詳しく説明したように、本実施形態によれば、部屋内に居住者が在室していると在不在判定部２ａにて判断し、かつ、その現在時刻が居住者の就寝時間帯であると異常判定部２ｂにて判断した場合に、部屋内の居住者が生活活動していることを検知する生活センサー４の所定時間あたりの検知回数が所定回数以上であると異常判定部２ｂにて判断したときに、部屋内に異常が発生したことを報知部１１により報知するようにしている。
【００２５】
これにより、本来であれば居住者が就寝しており生活センサー４が居住者の生活活動を検知しないような時間帯に生活センサー４が頻繁に検知動作を行うと、部屋内に異常が発生していることが報知されるので、夜間などの時間帯に居住者が異常行動を起こしたり、不審者が部屋内に侵入したりすることを報知することができる。これにより、管理人などは、部屋内の居住者を適切に監視することができる。
【００２６】
なお、前述した実施形態では、時計部６により現在時刻情報と生活センサー４により検知される所定時間情報との両方を取得しているが、これに限定されない。例えば、現在時刻情報を取得するための時計部６と生活センサー４により検知される所定時間情報を取得するためのタイマーとを別々に設けても良い。
【００２７】
また、前述した実施形態では、制御部２、カウンタ部５、時計部６が住宅監視装置１に含まれているが、これに限定されない。例えば、制御部２、カウンタ部５、時計部６を管理装置１０に設けても良い。同様に、前述した実施形態では、報知部１１を管理装置１０に設けているが、これに限定されない。例えば、報知部１１を住宅監視装置１に設けても良い。
【００２８】
また、前述した実施形態では、生活センサー４としてパッシブセンサーを使用し、カウンタ部５によりパッシブセンサーの検知回数をカウントしているが、これに限定されない。例えば、生活センサー４として部屋内で使用される水道の水量を検知する水量センサーを使用し、カウンタ部５の代わりに水量センサーを使用して、住宅監視装置１は、水量が所定の閾値を超えた場合に異常信号を出力するようにしても良い。
【００２９】
また、図３は、本実施形態による住宅監視システムの変形例を示す図である。同図によれば、住宅監視装置１にタイマー部７を設け、在不在判定部２ａが部屋内に居住者が在室していると判断した場合に、生活センサー４による部屋内の居住者の生活活動の検知の間隔を測定し、この間隔が一定の時間以上（例えば１０時間など）となったときに、制御部２が異常信号を出力するようにしても良い。
【００３０】
ここで、タイマー部７は、時間を計測するものであり、在不在判定部２ａにより部屋内に居住者が在室していると判断されている場合に、生活センサー４により部屋内の居住者の生活活動が検知された時に計時を開始する。そして、一定の時間以上経過しても生活センサー４により再度検知されないときには、タイマー部７は、タイムアップを示すタイムアップ信号を制御部２に出力する。一方、一定の時間未満に生活センサー４により再度検知されたときには、タイマー部７は、リセットされて再度計時を開始する。異常判定部２ｂがタイマー部７からタイムアップ信号を入力すると、制御部２は、異常信号を管理装置１０の報知部１１に出力する。
【００３１】
報知部１１は、異常信号を入力すると、部屋内に異常が発生したことを報知する。これにより、部屋内の居住者に健康上の異常が発生して居住者が動けなくなったような場合でも報知を行うことができる。
【００３２】
また、このような場合において、タイマー部７がタイムアップ信号を出力する一定の時間を夜間には長く、昼間には短く設定するようにしても良い。また、前述した変形例では、異常判定部２ｂがタイムアップ信号を入力した場合に、制御部２は、生活センサー４の検知回数が所定回数以上となったときの異常信号と同じ異常信号を出力しているが、これに限定されない。例えば、制御部２は、生活センサー４の検知回数が所定回数以上となったときには、部屋内に異常が発生したことを示す第１の異常信号を出力し、タイムアップ信号を入力したときには、部屋内の居住者に異常が発生したことを示す第２の異常信号を出力して、報知部１１により異なる形式で報知させるようにしても良い。
【００３３】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００３４】
【図１】本実施形態による住宅監視システムの構成例を示すブロック図である。
【図２】本実施形態による住宅監視システム及び住宅監視方法を示すフローチャートである。
【図３】本実施形態による住宅監視システムの変形例を示すブロック図である。
【符号の説明】
【００３５】
１    住宅監視装置
２    制御部
２ａ    在不在判定部
２ｂ    異常判定部
３    在不在検出部
４    生活センサー
５    カウンタ部
６    時計部
７    タイマー部
１０    管理装置
１１    報知部
【図１】
2008165361.tif 000003
【図２】
2008165361.tif 000004
【図３】
2008165361.tif 000005